(57)【要約】【課題】光あるいは放射線の情報を正確に算出することができる測定プログラムおよび測定装置を提供することを目的とする。【解決手段】血液を収容する円板のＵ字流路２６のスキャナ画像ＳＣの輪郭を強調して輪郭強調画像を出力し、その輪郭強調画像、および円板の設計情報ＤとしてＵ字流路２６の外側の輪郭に基づいて、画像の歪みに関する比率を算出する。このように、輪郭強調画像および既知の設計情報Ｄを参照すれば、設計情報Ｄに対する画像の歪みの度合いがわかり、比率を算出することが可能になる。したがって、当該比率に基づいて、画像の歪みを補正することが可能になり、歪みが補正された画像に基づいて、β＋線の血中放射能濃度を正確に算出することができる。【選択図】図８
2013228305.tif 000002
【特許請求の範囲】
【請求項１】
測定対象の液体中に含まれている発光あるいは蛍光物質から発生した光あるいは測定対象の液体中に含まれている放射線を測定する一連の処理をコンピュータに実行させるための測定プログラムであって、
前記測定対象の液体を収容するために設けられた容器の流路に関する画像の輪郭を強調して輪郭強調画像を出力する輪郭強調工程と、
その輪郭強調工程で輪郭が強調された前記輪郭強調画像、および前記容器の設計情報に基づいて、画像の歪みに関する歪み補正物理量を算出する歪み算出工程と、
その歪み算出工程で算出された前記歪み補正物理量に基づいて、画像の歪みを補正する画像歪み補正工程と、
その画像歪み補正工程で歪みが補正された画像に基づいて、前記光あるいは放射線の情報を算出する情報算出工程と
を備えることを特徴とする測定プログラム。
【請求項２】
測定対象の液体中に含まれている発光あるいは蛍光物質から発生した光あるいは測定対象の液体中に含まれている放射線を測定する一連の処理をコンピュータに実行させるための測定プログラムであって、
前記測定対象の液体を収容するために設けられた容器の流路に関する画像の輪郭を強調して輪郭強調画像を出力する輪郭強調工程と、
その輪郭強調工程で輪郭が強調された前記輪郭強調画像、および予め取得された参照画像に基づいて、画像の歪みに関する歪み補正物理量を算出する歪み算出工程と、
その歪み算出工程で算出された前記歪み補正物理量に基づいて、画像の歪みを補正する画像歪み補正工程と、
その画像歪み補正工程で歪みが補正された画像に基づいて、前記光あるいは放射線の情報を算出する情報算出工程と
を備えることを特徴とする測定プログラム。
【請求項３】
請求項１または請求項２に記載の測定プログラムにおいて、
前記画像歪み補正工程では、前記流路に関する画像の全体に対して歪みを補正することを特徴とする測定プログラム。
【請求項４】
請求項１または請求項２に記載の測定プログラムにおいて、
前記画像歪み補正工程では、前記流路に関する画像からアルゴリズムによって抽出された流路領域に対して歪みを補正することを特徴とする測定プログラム。
【請求項５】
請求項１または請求項２に記載の測定プログラムにおいて、
前記画像歪み補正工程では、前記流路に関する画像からアルゴリズムによって抽出された流路長に対して歪みを補正することを特徴とする測定プログラム。
【請求項６】
請求項１から請求項５のいずれかに記載の測定プログラムにおいて、
前記流路に関する画像は、前記測定対象の液体の形態情報を有した形態情報画像であることを特徴とする測定プログラム。
【請求項７】
請求項１から請求項５のいずれかに記載の測定プログラムにおいて、
前記流路に関する画像は、前記光あるいは放射線の測定情報を有した測定情報画像であることを特徴とする測定プログラム。
【請求項８】
請求項１から請求項７のいずれかに記載の測定プログラムを実行する演算手段を備えたことを特徴とする測定装置。
【発明の詳細な説明】
【技術分野】
【０００１】
この発明は、測定対象の液体中に含まれている発光あるいは蛍光物質から発生した光あるいは測定対象の液体中に含まれている放射線を測定する測定プログラムおよび測定装置に関する。
【背景技術】
【０００２】
測定装置は、核医学診断（例えば、ＰＥＴ(Positron Emission Tomography)、ＳＰＥＣＴ（Single Photon Emission CT）など）における定量解析で用いられ、特に小動物（例えばマウスやラットなど）の動脈血中の放射能濃度の測定に用いられている。
【０００３】
マウスの体内への放射性薬剤の投与後の血液を時系列に分離して、円板（ＣＤウェル）の複数の溝に血液を滴下して採取する。採取された血液を遠心分離して、血漿分離された血漿および血球に含まれている放射線（例えばβ線やγ線など）をそれぞれ測定する（例えば、特許文献１参照）。
【０００４】
具体的には、測定対象の血液を円板（ＣＤウェル）の流路に採取する。採取後に円板を回転させて遠心分離して、血液を血漿および血球に分離する血漿分離を行う。円板をフラットヘッドスキャナで撮像し、画像データ（スキャナ画像）を取得する。
【０００５】
円板の各流路は、円板に対して所定の寸法で溝加工したもので形成されていることから、流路に送り込まれた血液の溝長あるいは溝領域がわかれば、所定の寸法で溝加工された溝の断面積あるいは溝の深さに基づいて流路に送り込まれた血液の体積を規定することができる。取得された円板の画像データ（スキャナ画像）をソフトウェアで読み込んで、流路領域、流路内の血液が分離した血漿と気体との境界、および血漿と血球との境界を、ＣＰＵ（中央演算処理装置）によるアルゴリズムにより自動的に検出する。この境界線の位置から溝長を割り出し、溝長および流路の断面積から血漿および血球の体積をそれぞれ算出する。
【０００６】
血中放射能濃度を求める際には、フラットヘッドスキャナで撮像された円板の画像（スキャナ画像）と、イメージングプレート（IP: Imaging Plate）で得られた計数情報であるβ＋線の分布像（ＩＰ画像）とを重ね合わせて重畳処理して、β＋線の分布像（ＩＰ画像）上で、溝内部で分離された血漿領域および血球領域と重なる部分のβ＋線の計数情報から、単位体積当たりの血中放射能濃度を求める。具体的には、円板の画像（スキャナ画像）中の血漿と、β＋線の分布像（ＩＰ画像）中の血漿とを対応付けるとともに、円板の画像（スキャナ画像）中の血球と、β＋線の分布像（ＩＰ画像）中の血球とを対応付けることで、各部の計数を各部の体積で除算して、各部の血中放射能濃度をそれぞれ求める。
【先行技術文献】
【特許文献】
【０００７】
【特許文献１】国際公開第ＷＯ２００９−０９３３０６号
【発明の概要】
【発明が解決しようとする課題】
【０００８】
しかしながら、上述の手法により求められた血中放射能濃度と、実際の血中放射能濃度とに間にズレが生じて、上述の手法により求められた血中放射能濃度が正確な値を示さないという問題がある。
【０００９】
この発明は、このような事情に鑑みてなされたものであって、光あるいは放射線の情報を正確に算出することができる測定プログラムおよび測定装置を提供することを目的とする。
【課題を解決するための手段】
【００１０】
発明者らは、上記の問題を解決するために鋭意研究した結果、次のような知見を得た。
【００１１】
すなわち、重畳処理されるスキャナ画像とＩＰ画像との間にズレが生じた結果、スキャナ画像中の各部（血漿・血球）とＩＰ画像中の各部（血漿・血球）とが正確に対応付けられずに、各部の血中放射能濃度が正確な値を示さないという知見を得た。スキャナ画像の全体とＩＰ画像の全体とを比較すると、さほどに大きなズレは生じていない。しかし、流路領域や流路長を拡大して見ると画像に歪み（例えば横方向に伸長あるいは縮小）が生じており、特にスキャナ画像に歪みが生じていることが判明した。
【００１２】
例えば流路入口を拡大すると、円板の厚みがスキャナ画像に写り込んでいることから、フラットヘッドスキャナが微小な斜め方向から円板を撮像しているのが原因ではないかと考えられる。また、円板とフラットヘッドスキャナとが近接していれば、微小な斜め方向からの撮像でもスキャナ画像の歪みはさほどに大きいものではないが、円板を固定して位置決めを行いつつ支持する固定治具の厚みにより、円板とフラットヘッドスキャナとが近接することができない。その結果、固定治具の厚みの影響により、スキャナ画像に歪みが生じると考えられる。  
【００１３】
一方で、円板などに代表される容器の設計情報は既知であるので、その既知の容器の設計情報を参照すれば、画像の歪みに関する歪み補正物理量（歪み補正パラメータ）を算出することができる筈という知見を得た。また、予め取得された参照画像も既知であるので、その既知の参照画像を参照すれば、画像の歪みに関する歪み補正物理量（歪み補正パラメータ）を算出することができる筈という知見を得た。前者の容器の設計情報においても、後者の参照画像においても、画像の輪郭を強調して輪郭強調画像を出力しなければ、画像の歪みを正確に求めることができないという知見も得た。
【００１４】
このような知見に基づくこの発明は、次のような構成をとる。
すなわち、この発明に係る測定プログラム（前者の発明）は、測定対象の液体中に含まれている発光あるいは蛍光物質から発生した光あるいは測定対象の液体中に含まれている放射線を測定する一連の処理をコンピュータに実行させるための測定プログラムであって、前記測定対象の液体を収容するために設けられた容器の流路に関する画像の輪郭を強調して輪郭強調画像を出力する輪郭強調工程と、その輪郭強調工程で輪郭が強調された前記輪郭強調画像、および前記容器の設計情報に基づいて、画像の歪みに関する歪み補正物理量を算出する歪み算出工程と、その歪み算出工程で算出された前記歪み補正物理量に基づいて、画像の歪みを補正する画像歪み補正工程と、その画像歪み補正工程で歪みが補正された画像に基づいて、前記光あるいは放射線の情報を算出する情報算出工程とを備えることを特徴とするものである。
【００１５】
［作用・効果］この発明に係る測定プログラム（前者の発明）によれば、輪郭強調工程では、測定対象の液体を収容するために設けられた容器の流路に関する画像の輪郭を強調して輪郭強調画像を出力する。その輪郭強調工程で輪郭が強調された輪郭強調画像、および容器の設計情報に基づいて、歪み算出工程では、画像の歪みに関する歪み補正物理量を算出する。このように、輪郭強調画像および既知の容器の設計情報を参照すれば、容器の設計情報に対する画像の歪みの度合いがわかり、歪み補正物理量を算出することが可能になる。したがって、歪み算出工程で算出された歪み補正物理量に基づいて、画像歪み補正工程では画像の歪みを補正することが可能になり、その画像歪み補正工程で歪みが補正された画像に基づいて、情報算出工程では、光あるいは放射線の情報を正確に算出することができる。また、前者の発明の場合には、撮像によって取得された画像の歪みに依存せずに、容器の設計情報に基づいて画像の歪みの補正において一定の効果が得られる。
【００１６】
また、この発明に係る測定プログラム（後者の発明）は、測定対象の液体中に含まれている発光あるいは蛍光物質から発生した光あるいは測定対象の液体中に含まれている放射線を測定する一連の処理をコンピュータに実行させるための測定プログラムであって、前記測定対象の液体を収容するために設けられた容器の流路に関する画像の輪郭を強調して輪郭強調画像を出力する輪郭強調工程と、その輪郭強調工程で輪郭が強調された前記輪郭強調画像、および予め取得された参照画像に基づいて、画像の歪みに関する歪み補正物理量を算出する歪み算出工程と、その歪み算出工程で算出された前記歪み補正物理量に基づいて、画像の歪みを補正する画像歪み補正工程と、その画像歪み補正工程で歪みが補正された画像に基づいて、前記光あるいは放射線の情報を算出する情報算出工程とを備えることを特徴とするものである。
【００１７】
［作用・効果］この発明に係る測定プログラム（後者の発明）によれば、前者の発明と同様に、輪郭強調工程では、容器の流路に関する画像の輪郭を強調して輪郭強調画像を出力する。その輪郭強調工程で輪郭が強調された輪郭強調画像、および予め取得された参照画像に基づいて、歪み算出工程では歪み補正物理量を算出する。このように、輪郭強調画像および既知の参照画像を参照すれば、参照画像の元となる対象物に対する画像の歪みの度合いがわかり、歪み補正物理量を算出することが可能になる。したがって、歪み算出工程で算出された歪み補正物理量に基づいて、画像歪み補正工程では画像の歪みを補正することが可能になり、その画像歪み補正工程で歪みが補正された画像に基づいて、情報算出工程では、光あるいは放射線の情報を正確に算出することができる。また、後者の発明の場合には、個々の参照画像に応じて画像の歪みをそれぞれ補正するので、個々の参照画像の歪み具合に応じて画像の歪みをより一層正確に補正することができる効果が得られる。
【００１８】
前者の発明および後者の発明において、上述の画像歪み補正工程では、流路に関する画像の全体に対して歪みを補正してもよい。全体に対して歪みを補正することで、一連の処理が簡素化されるという効果を奏する。
【００１９】
前者の発明および後者の発明において、上述の画像歪み補正工程では、流路に関する画像からアルゴリズムによって抽出された流路領域に対して歪みを補正してもよい。流路領域に対して歪みを補正することで、流路領域の歪みをより一層正確に補正することができるという効果を奏する。
【００２０】
前者の発明および後者の発明において、上述の画像歪み補正工程では、流路に関する画像からアルゴリズムによって抽出された流路長に対して歪みを補正してもよい。流路長に対して歪みを補正することで、流路長の歪みをより一層正確に補正することができるという効果を奏する。
【００２１】
上述した流路に関する画像は、測定対象の液体の形態情報を有した形態情報画像（例えばスキャナ画像）であってもよいし、光あるいは放射線の測定情報を有した測定情報画像（例えばＩＰ画像）であってもよい。特に、形態情報画像の場合には歪みが生じ易いことが判明しており、画像の歪みの対象として形態情報画像を適用することで、歪みの補正において有用である。また、測定情報画像の場合には光あるいは放射線の分布像が得られるが流路が抽出され難く、当該分布像から輪郭強調画像を出力することで流路が抽出され易くなり、画像の歪みの対象として測定情報画像を適用することで、歪み補正物理量の算出において有用である。
【００２２】
また、この発明に係る測定装置は、上述したこれらの発明に係る測定プログラムを実行する演算手段を備えたことを特徴とするものである。
【００２３】
［作用・効果］この発明に係る測定装置によれば、上述したこれらの発明に係る測定プログラムを実行する演算手段を備えることで、測定装置においても、光あるいは放射線の情報を正確に算出することができる。
【発明の効果】
【００２４】
この発明に係る測定プログラムおよび測定装置によれば、輪郭強調工程では、容器の流路に関する画像の輪郭を強調して輪郭強調画像を出力し、その輪郭強調工程で輪郭が強調された輪郭強調画像、および容器の設計情報／参照画像に基づいて、歪み算出工程では歪み補正物理量を算出する。このように、輪郭強調画像および既知の容器の設計情報／参照画像を参照すれば、容器の設計情報／参照画像の元となる対象物に対する画像の歪みの度合いがわかり、歪み補正物理量を算出することが可能になる。したがって、歪み算出工程で算出された歪み補正物理量に基づいて、画像歪み補正工程では画像の歪みを補正することが可能になり、その画像歪み補正工程で歪みが補正された画像に基づいて、情報算出工程では、光あるいは放射線の情報を正確に算出することができる。
【図面の簡単な説明】
【００２５】
【図１】各実施例に係る測定装置のブロック図である。
【図２】測定装置の撮像部におけるスキャナの概略斜視図である。
【図３】各実施例に係る円板の概略平面図である。
【図４】実施例１に係る表示装置のブロック図である。
【図５】各実施例に係る固定治具の概略平面図である。
【図６】各実施例に係る一連の処理の流れを示したフローチャートである。
【図７】歪みが無いときのスキャナ画像と設計情報との関係の説明に供する概略平面図である。
【図８】横方向に伸びて歪んだときのスキャナ画像と設計情報との関係の説明に供する概略平面図である。
【図９】横方向に縮んで歪んだときのスキャナ画像と設計情報との関係の説明に供する概略平面図である。
【図１０】実施例２に係る表示装置のブロック図である。
【実施例１】
【００２６】
以下、図面を参照してこの発明の実施例１を説明する。
図１は、各実施例に係る測定装置のブロック図であり、図２は、測定装置の撮像部におけるスキャナの概略斜視図である。後述する実施例２も含めて、本実施例１では、測定対象の液体として血液を例に採って説明するとともに、測定装置を備えた測定システムを例に採って説明する。
【００２７】
測定システムの採血装置（図示省略）は、測定対象の血液を時系列に分離して採取する。各実施例に係る測定システムは、図１に示すように、採取された血液中に含まれている放射線（例えばβ線やγ線など）を測定する測定装置１０を備えている。
【００２８】
測定システムは、図２に示すように、滴下した血液を受け取って収容する円板（「ＣＤウェル」とも呼ばれる）２４を配設している。円板２４の中央側には、滴下された血液を受け取る複数の開口部からなる流路入口２５（図３を参照）を放射状に配設している。円板２４に対して溝加工を施しており、その溝加工の溝によってＵ字型の溝からなる複数本のＵ字流路２６（図３を参照）を放射状に形成している。各々のＵ字流路２６は、上述した流路入口２５の外側一端に一対一でそれぞれ接続されており、各々のＵ字流路２６は、円板２４の径方向に延びて形成されている。円板２４は、この発明における容器に相当し、Ｕ字流路２６は、この発明における流路に相当する。円板２４の具体的な構成については、図３以降で後述する。
【００２９】
一方、図１に示すように、測定装置１０は読取部１１を備えている。この読取部１１には、露光後のイメージングプレート（図示省略）を挿入するためのカバー部を設けており、イメージングプレートから励起された光を読み取ることで血液中に含まれているβ＋線を検出する。具体的には、読取部１１は、レーザ光源１２とフォトマルチプライヤチューブ（光電子増倍管）１３とを備えており、レーザ光源１２からイメージングプレートにレーザを照射して、イメージングプレートへのレーザ照射によって励起された光をフォトマルチプライヤチューブ１３が電子に変換して増倍させることで、β＋線を検出する。
【００３０】
測定装置１０は、上述した読取部１１の他に、撮像部１４と表示装置１５とを備えている。表示装置１５については、通常のパーソナルコンピュータで構成してもよい。表示装置１５の具体的な構成については、図４以降で後述する。
【００３１】
図２に示すように、撮像部１４は円板２４を撮像する。後述する実施例２も含めて、本実施例１では、撮像部１４としてフラットヘッドスキャナを採用する。円板２４の直径分の長さを少なくとも有する線状の光源１４ａと円板２４を挟んで光源１４ａに対して対向配置された線状のフォトダイオードアレイ（すなわちラインセンサ）１４ｂでフラットヘッドスキャナを構成する。フラットヘッドスキャナで円板２４上を走査（スキャン）することで円板２４を撮像して、円板２４の画像を取得する。
【００３２】
次に、円板２４の具体的な構成について、図３を参照して説明する。図３は、各実施例に係る円板の概略平面図である。円板２４のＵ字流路２６は、図３に示すように、上述の流路入口２５と空気穴２７とをつないで形成されている。血液の導入口である流路入口２６を血液の上流部、空気穴２７を下流部としたときに、上流部から下流部へは、Ｕ字流路２６は、円板２４の径方向に内側から外側に向かって延びて、折り返して円板２４の径方向に外側から内側に向かって延びて形成されたＵ字型となっている。かかるＵ字流路２６を複数に備えている。
【００３３】
なお、円板２４には２箇所の窪み２４Ａ，２４Ｂがあり、後述する固定治具３１（図５を参照）に嵌合される。固定治具３１については、図５以降で後述する。
【００３４】
円板２４の中央に円板２４を回転させるモータ（図示省略）を備えている。モータの回転軸（図示省略）を円板２４に連結させることで、モータによる円板２４の遠心力を利用して、血液を遠心分離させて血漿および血球に分離する血漿分離を行う。
【００３５】
後述する実施例２も含めて、本実施例１では、円板２４はアクリル板で形成されている。円板２４の素材はアクリルに限定されず、上述のＰＤＭＳ、その他、ポリカーボネート、ＣＯＰなど樹脂光学的に透明なものであれば良い。
【００３６】
次に、表示装置１５の具体的な構成について、図４を参照して説明する。図４は、実施例１に係る表示装置のブロック図である。図４に示すように、表示装置１５は、第１読み込み部１６Ａと第２読み込み部１６Ｂとメモリ部１７とコントローラ１８と入力部１９と出力モニタ２０とを備えている。コントローラ１８は、この発明における演算手段に相当する。
【００３７】
第１読み込み部１６Ａおよび第２読み込み部１６Ｂは、例えばＩ／Ｏ（Input/Output）デバイスなどの読み込みデバイスなどで構成されている。第１読み込み部１６Ａは、読取部１１（図１を参照）を介してイメージングプレート（図示省略）で取得されたＩＰ画像を読み込む。第２読み込み部１６Ｂは、撮像部１４で取得されたスキャナ画像を読み込む。ＩＰ画像は、この発明における測定情報画像に相当し、スキャナ画像は、この発明における形態情報画像に相当する。
【００３８】
メモリ部１７は、ＲＯＭ（Read-only Memory）やＲＡＭ（Random Access Memory）などに代表される記憶媒体で構成されている。本実施例１では、図６に示す一連の処理をコンピュータ（本実施例１ではコントローラ１８）に実行させるための測定プログラム１７Ａと、アルゴリズムで抽出された抽出結果として、測定対象の液体（各実施例では血液）を収容するために設けられた容器（各実施例では円板２４：図２や図３を参照）の流路（各実施例ではＵ字流路２６：図３を参照）に関する画像（各実施例ではＩＰ画像やスキャナ画像）の輪郭を強調して輪郭強調画像を出力して記憶する抽出結果メモリ部１７Ｂと、容器（円板２４）の設計情報を記憶する設計情報メモリ部１７Ｃとをメモリ部１７は備えている。測定プログラム１７ＡはＲＯＭで構成され、抽出結果メモリ部１７Ｂ，設計情報メモリ部１７ＣはＲＡＭで構成されている。本実施例１では、設計情報として、円板２４のＵ字流路２６の外側の輪郭（図７〜図９の点線を参照）を例に採って説明する。測定プログラム１７Ａは、この発明における測定プログラムに相当する。
【００３９】
コントローラ１８は、中央演算処理装置（ＣＰＵ）などで構成されている。各種の画像処理を行うためのプログラムとして、歪み補正パラメータを算出する、画像の歪みを補正する、放射能濃度を算出する等の図４に示す測定プログラム１７Ａ等をコントローラ１８が実行することでそのプログラムに応じた画像処理を含む測定プログラムに応じた図６に示す一連の処理を行う。本実施例１では、コントローラ１８は、輪郭強調工程，歪み算出工程，画像歪み補正工程および情報算出工程を実行する。
【００４０】
入力部１９は、マウスやキーボードやジョイスティックやトラックボールやタッチパネルなどに代表されるポインティングデバイスなどで構成されている。出力モニタ２０は、図６に示すように、第１読み込み部１６Ａで読み込まれたＩＰ画像や第２読み込み部１６Ｂで読み込まれたスキャナ画像を表示し、アルゴリズムで抽出された抽出結果として出力された輪郭強調画像を表示し、歪みが補正された画像を表示し、歪みが補正された画像（ここではスキャナ画像）とＩＰ画像とを重ね合わせて重畳表示するように構成されている。
【００４１】
次に、固定治具３１の具体的な構成について、図５を参照して説明する。図５は、各実施例に係る固定治具の概略平面図である。かかる円板２４（図２や図３を参照）を固定して位置決めを行いつつ支持するために、図５に示すように固定治具３１を備えている。固定治具３１には、円板２４が嵌合する開口部３２が設けられており、その開口部３２に２つの突起部３２Ａ，３２Ｂが設けられている。突起部３２Ａに円板２４の窪み２４Ａ（図３を参照）を嵌合し、突起部３２Ｂに円板２４の窪み２４Ｂ（図３を参照）を嵌合することで、固定治具３１は円板２４を固定して位置決めを行いつつ支持する。
【００４２】
後述する実施例２も含めて、本実施例１では、図５に示すように開口部３２を１つ設けて、１つの固定治具３１に対して１つの円板２４が固定されるが、開口部３２を複数（例えば２つ）設けて、１つの固定治具３１に対して当該複数の円板２４が固定されるように構成してもよい。また、図面の左上には固定治具３１に切り欠き３１Ａを設けている。
【００４３】
なお、図５に示す固定治具３１の場合には１８０°回転させると流路入口２６（図３を参照）の対称性から上下左右を間違える恐れがあるが、切り欠き３１Ａを図面の左上に設けることで、読取部１１（図１を参照）を介してイメージングプレート（図示省略）で取得されたＩＰ画像も、撮像部１４（図１や図２や図４を参照）で取得されたスキャナ画像も、切り欠き３１Ａを基準として向きをそろえることができる。
【００４４】
モータ（図示省略）による円板２４（図２や図３を参照）の遠心力により、血漿および血球に血漿分離された円板２４を固定治具３１は固定して位置決めを行いつつ支持することで、円板２４の各々の流路入口２６（図３を参照）の向きや位置も固定される。そして、向きや位置が固定された状態で、イメージングプレート（図示省略）を用いて円板２４の撮像を行ってＩＰ画像を取得し、撮像部１４（図１や図２や図４を参照）のフラットヘッドスキャナによる円板２４の撮像を行ってスキャナ画像を取得する。なお、撮像の順番については特に限定されない。
【００４５】
具体的に説明すると、円板２４（図２や図３を参照）および固定治具３１をサンプルとして、図示を省略するカセッテを開いて収容して、その上にイメージングプレート（図示省略）を収容して、カセッテを閉じて露光を行う。この露光によって、血液中に含まれているβ＋線の電離能により、イメージングプレートの蛍光体（図示を省略）の格子欠陥に電子が捕獲される。一定時間の露光後にイメージングプレートをカセッテから取り出して、測定装置１０（図１を参照）の読取部１１（図１を参照）のカバー部に挿入して、イメージングプレートに光を照射して露光を行う。
【００４６】
読取部１１（図１を参照）のレーザ光源１２（図１を参照）からイメージングプレート（図示省略）にレーザを照射する。捕獲された電子がこの照射によって伝導体に励起され正孔と再結合し、蛍光体から光として励起される。このイメージングプレートへのレーザ照射によって励起された光をフォトマルチプライヤチューブ１３（図１や図４を参照）が電子に変換して増倍させることで、電気パルスとして検出して計数する。なお、レーザ光源１２からイメージングプレートへ照射した後には、再利用するために消去用光源（図示省略）から光をイメージングプレートへ照射することで、捕獲された電子を消去する。イメージングプレートと読取部１１で求められたβ＋線の計数情報に基づいて、β＋線の計数情報である血中の放射線量を求める。このようにして、ＩＰ画像が取得される。
【００４７】
一方、撮像部１４（図１や図２や図４を参照）は、血漿分離された血漿および血球を円板２４（図２や図３を参照）およびそれを支持した固定治具３１ごと撮像する。撮像部１４のフラットヘッドスキャナの光源１４ａ（図２を参照）から光を照射することで、吸光度の相違によって血漿および血球が撮像された画像上で濃淡差となって現れ、画像上で容易に識別可能である。このようにして、スキャナ画像が取得される。
【００４８】
スキャナ画像は、血液や円板２４（図２や図３を参照）や切り欠き３１Ａを設けた固定治具３１を含んだ形態情報画像であるので、切り欠き３１Ａなどの情報も反映されるが、ＩＰ画像は、測定情報を有した測定情報画像であるので、切り欠き３１Ａなどの情報は画像に反映されない。しかし、固定治具３１によって各々の流路入口２６（図３を参照））の向きや位置が固定されるので、（円板２４の固定位置である）円板２４のＵ字流路２６と固定治具３１との相対位置も決定される。
【００４９】
ただし、固定治具３１を備えていても、円板２４（図２や図３を参照）を撮像部１４（図１や図２や図４を参照）のフラットヘッドスキャナで撮像する際に、上述したようにフラットヘッドスキャナが微小な斜め方向から円板２４を撮像する場合には、それによって取得されたスキャナ画像に歪みが生じる可能性がある。特に固定治具３１が円板２４を固定して位置決めを行いつつ支持して、固定治具３１ごと円板２４をフラットヘッドスキャナで撮像する場合には、固定治具３１の厚みにより、円板２４とフラットヘッドスキャナとが近接することができない。その結果、固定治具３１の厚みの影響により、スキャナ画像に歪みが生じる可能性がある。その結果、個々の画像を重ね合わせて重畳表示したとしても、重畳処理されるスキャナ画像とＩＰ画像との間にズレが生じて、スキャナ画像中の各部（血漿・血球）とＩＰ画像中の各部（血漿・血球）とが正確に対応付けられずに、各部の血中放射能濃度が正確な値を示さない可能性がある。
【００５０】
そこで、本実施例１では、アルゴリズムで抽出された抽出結果として、円板２４（図２や図３を参照）のＵ字流路２６（図３を参照）に関する画像の輪郭を強調して輪郭強調画像を出力して、輪郭が強調された輪郭強調画像および円板２４の設計情報（本実施例１では円板２４のＵ字流路２６の外側の輪郭）に基づいて、画像の歪みに関する歪み補正物理量（歪み補正パラメータ）を算出する。そして、歪み補正物理量（歪み補正パラメータ）に基づいて画像の歪みを補正して、歪みが補正された画像に基づいて、血中放射能濃度を算出する。
【００５１】
次に、一連の処理について、図６を参照して説明するとともに、図７〜図９と併せて説明する。図６は、各実施例に係る一連の処理の流れを示したフローチャートであり、図７は、歪みが無いときのスキャナ画像と設計情報との関係の説明に供する概略平面図であり、図８は、横方向に伸びて歪んだときのスキャナ画像と設計情報との関係の説明に供する概略平面図であり、図９は、横方向に縮んで歪んだときのスキャナ画像と設計情報との関係の説明に供する概略平面図である。図７〜図９では、スキャナ画像ＳＣの輪郭を強調して得られた輪郭強調画像として概略的に図示している。
【００５２】
先ず、読取部１１（図１を参照）を介してイメージングプレート（図示省略）からＩＰ画像を取得するとともに、撮像部１４（図１や図２や図４を参照）のフラットヘッドスキャナからスキャナ画像を取得する。
【００５３】
（ステップＳ１）画像読み込み
第２読み込み部１６Ｂ（図４を参照）は、撮像部１４（図１や図２や図４を参照）で取得されたスキャナ画像を読み込む。
【００５４】
（ステップＳ１１）輪郭強調
また、通常では、関心領域を抽出するために、ステップＳ１で読み込まれたスキャナ画像の輪郭をコントローラ１８（図４を参照）は強調して輪郭強調画像を出力する。輪郭強調処理としては、例えばゾーベルフィルタ(Sobel filter)処理やプレヴィットフィルタ(Prewitt filter)処理などに代表される、注目画素とその周辺画素との差分を求める一次微分による輪郭強調処理、ラプラシアンフィルタ(Laplacian filter)処理などに代表される、注目画素とその周辺画素との差分のさらなる差分を求める二次微分による輪郭強調処理などを行えばよい。これらの輪郭強調処理については公知の技術であるので、その説明を省略する。このステップＳ１１は、この発明における輪郭強調工程に相当する。
【００５５】
この輪郭強調画像を利用して抽出結果（流路領域）に供する。すなわち、コントローラ１８（図４を参照）はスキャナ画像に対して輪郭強調処理などのアルゴリズムを施してスキャナ画像の輪郭を強調して輪郭強調画像を出力することで、円板２４（図２や図３を参照）のＵ字流路２６（図３を参照）の流路の輪郭（すなわち流路領域）や、気体・血漿や血漿・血球の境界位置を検出して、当該流路の輪郭（流路領域）を抽出し、当該境界位置および当該流路領域で囲まれた領域を成分領域として抽出する。そして、この輪郭強調処理のアルゴリズムによる抽出結果とした流路領域を抽出結果メモリ部１７Ｂ（図４を参照）に書き込んで記憶する。また、それに併せて、成分領域を抽出結果メモリ部１７Ｂ（図４を参照）に書き込んで記憶してもよい。
【００５６】
（ステップＴ１）画像読み込み
一方、第１読み込み部１６Ａ（図４を参照）は、読取部１１（図１を参照）を介してイメージングプレート（図示省略）で取得されたＩＰ画像を読み込む。上述のステップＳ１，このステップＴ１の順番については特に限定されず、ステップＴ１を先に行ってもよいし、ステップＳ１を先に行ってもよいし、ステップＳ１，Ｔ１を同時並行に行ってもよい。
【００５７】
（ステップＳ２）画像表示
ステップＳ１で読み込まれたスキャナ画像を出力モニタ２０（図４を参照）の画面に表示する。
【００５８】
（ステップＳ３）抽出結果表示
ステップＳ２でスキャナ画像を出力モニタ２０（図４を参照）の画面に表示すると、当該スキャナ画像に対してアルゴリズムで抽出された抽出結果とした流路領域を当該スキャナ画像に付加して出力モニタ２０の画面に表示する。抽出結果（流路領域、成分領域）を出力モニタ２０の画面に付加して表示するために、抽出結果メモリ部１７Ｂ（図４を参照）から抽出結果とした流路領域を読み出して、流路領域をスキャナ画像に付加して出力モニタ２０の画面に表示する。流路領域の他に、抽出結果として成分領域をもスキャナ画像に付加して出力モニタ２０の画面に表示することも可能である。
【００５９】
（ステップＳ４）調整
ステップＳ３で誤検出があった場合でも、このステップＳ４のように調整するのがより一層好ましい。具体的には、スキャナ画像、抽出結果とした流路領域のいずれか少なくとも一方を表示画面上で移動させて調整、あるいは抽出結果とした流路領域の大きさを表示画面上で調整する。入力部１９（図４を参照）により調整する。図４に示す出力モニタ２０から、各々の抽出結果とした流路領域（その他に成分領域）をグループ化して、グループ化された抽出結果をドラッグしてスキャナ画像の成分や流路に一致するように表示画面上で移動させて調整したり、各々の抽出結果（流路領域、成分領域）をグループ化させずに、個々に抽出結果（流路領域、成分領域）をドラッグしてスキャナ画像の成分や流路に一致するように表示画面上で移動させて調整したり、あるいは囲み領域の囲み部分にポインタを合わせて抽出結果（流路領域、成分領域）の大きさを調整する。もちろん、スキャナ画像の方を表示画面上で移動させて調整してもよいし、両方を表示画面上で移動させて調整してもよい。また、入力部１９を出力モニタ２０のタッチパネルで構成し、出力モニタ２０のタッチパネルにおいて調整の対象となるスキャナ画像あるいは抽出結果（流路領域、成分領域）を直接に指で触れることにより、調整してもよい。
【００６０】
（ステップＴ２）画像表示
一方、ステップＴ１で読み込まれたＩＰ画像も出力モニタ２０（図４を参照）の画面に表示する。上述のステップＳ２〜Ｓ４，Ｔ２の順番についても特に限定されず、ステップＴ２を先に行ってもよいし、ステップＳ２〜Ｓ４を先に行ってもよいし、ステップＳ２〜Ｓ４，Ｔ２を同時並行に行ってもよい。
【００６１】
（ステップＳ５）画像歪み補正
ステップＳ４でスキャナ画像・抽出結果とした流路領域間で調整したとしても、画像の全体、流路領域あるいは流路長に歪みが生じている可能性がある。そこで、このステップＳ５で画像の歪みを補正する。先ず、ステップＳ１１で輪郭が強調されて抽出結果メモリ部１７Ｂ（図４を参照）に記憶された輪郭強調画像（流路領域や成分領域）、および設計情報メモリ部１７Ｃ（図４を参照）に記憶された円板２４（図２や図３を参照）の設計情報（ここでは円板２４のＵ字流路２６（図３を参照）の外側の輪郭）に基づいて、画像の歪みに関する歪み補正物理量（歪み補正パラメータ）をコントローラ１８（図４を参照）は算出する。
【００６２】
そのために、円板２４（図２や図３を参照）の設計情報と、スキャナ画像から抽出された流路領域とを比較して、スキャナ画像が歪んでいるか否かを判定する。例えば、画像の横方向について、図７に示すように向かい合って抽出されたＵ字流路２６の外側の輪郭が、図７の点線で示される設計情報Ｄによって決まる円の円周上に接していれば、画像が歪んでいないと判断することができる。また、図８の点線で示される設計情報Ｄによって決まる円よりも外側にＵ字流路２６の外側の輪郭があれば、画像が横方向に伸びて歪んでいると判断する。また、図９の点線で示される設計情報Ｄによって決まる円よりも内側にＵ字流路２６の外側の輪郭があれば、画像が横方向に縮んで歪んでいると判断する。
【００６３】
このように、図７〜図９の点線で示される円の円周上にＵ字流路２６の外側の輪郭が接していなければ、スキャナ画像ＳＣ上でのＵ字流路２６の外側の輪郭から点線で示される当該円の円周上までの距離に基づいて、画像が縮んでいる、あるいは伸びている比率をコントローラ１８（図４を参照）は算出する。本実施例１では、この比率を歪み補正パラメータとして求める。
【００６４】
画像が横方向に縮んで歪んでいるときには、この比率を用いて画像の全体を横方向に引き伸ばすことによって画像の歪みを補正する。逆に、画像が横方向に伸びて歪んでいるときには、この比率を用いて画像の全体を横方向に縮小することによって画像の歪みを補正する。横方向について判断した後、同様の手順で縦方向についても判断して行い、画像の縦横の歪みを補正する。このステップＳ５は、この発明における歪み算出工程および画像歪み補正工程に相当する。
【００６５】
（ステップＳ６）画像表示
ステップＳ５で歪みが補正された画像を出力モニタ２０（図４を参照）の画面に表示する。なお、歪みが完全に補正されていないときには、ステップＳ５に戻って画像歪み補正、このステップＳ６での画像表示を、歪みを完全に補正するまで繰り返し行ってもよい。
【００６６】
（ステップＵ１）重畳処理
コントローラ１８（図４を参照）は、ステップＳ４で調整され、ステップＳ５で歪みが補正されたスキャナ画像、ステップＴ２で表示されたＩＰ画像を重ね合わせて重畳処理する。
【００６７】
このようにして、重畳処理されるスキャナ画像とＩＰ画像とが正確に対応付けられ、スキャナ画像中の血漿における体積および血球における体積が正確に求められる。そして、コントローラ１８（図４を参照）は、スキャナ画像中の血漿に対応付けられたＩＰ画像中のβ＋線の計数を、当該血漿における体積で除算して、血漿の血中放射能濃度を算出する。また、コントローラ１８は、スキャナ画像中の血球に対応付けられたＩＰ画像中のβ＋線の計数を、当該血球における体積で除算して、血球の血中放射能濃度を算出する。このステップＵ１は、この発明における情報算出工程に相当する。
【００６８】
（ステップＵ２）重畳表示
重畳処理後の画像（図６では「重ね合わせ画像」で表記）を、出力モニタ２０（図４を参照）の画面に表示する。ここでの説明では、血中放射能濃度を算出した後にステップＵ２での重畳表示を行ったが、ステップＵ２での重畳表示の後に血中放射能濃度を算出してもよい。
【００６９】
本実施例１に係る測定プログラム１７Ａによれば、ステップＳ１１では、測定対象の液体（各実施例では血液）を収容するために設けられた容器（各実施例では円板２４）の流路（各実施例ではＵ字流路２６）に関する画像（図６のフローチャートではスキャナ画像）の輪郭を強調して輪郭強調画像（流路領域や成分領域）を出力する。そのステップＳ１１で輪郭が強調された輪郭強調画像（流路領域や成分領域）、および容器（円板２４）の設計情報（本実施例１では円板２４のＵ字流路２６の外側の輪郭）に基づいて、ステップＳ５では、画像の歪みに関する歪み補正物理量（本実施例１では比率）を算出する。このように、輪郭強調画像および既知の容器（円板２４）の設計情報Ｄ（円板２４のＵ字流路２６の外側の輪郭）を参照すれば、容器（円板２４）の設計情報Ｄ（円板２４のＵ字流路２６の外側の輪郭）に対する画像の歪みの度合いがわかり、歪み補正物理量（比率）を算出することが可能になる。したがって、ステップＳ５で算出された歪み補正物理量（比率）に基づいて、同じステップＳ５では画像の歪みを補正することが可能になり、そのステップＳ５で歪みが補正された画像に基づいて、ステップＵ１では、放射線（各実施例ではβ＋線）の情報（各実施例では血中放射能濃度）を正確に算出することができる。
【００７０】
また、本実施例１の場合には、撮像によって取得された画像の歪みに依存せずに、容器（円板２４）の設計情報Ｄに基づいて画像の歪みの補正において一定の効果が得られる。
【００７１】
本実施例１では、流路に関する画像（図６のフローチャートではスキャナ画像）の全体に対して歪みを補正している。全体に対して歪みを補正することで、一連の処理が簡素化されるという効果を奏する。
【００７２】
本実施例１では、流路に関する画像は、測定対象の液体（各実施例では血液）の形態情報を有した形態情報画像（図６のフローチャートではスキャナ画像）である。特に、スキャナ画像に代表される形態情報画像の場合には歪みが生じ易いことが判明しており、画像の歪みの対象として形態情報画像を適用することで、歪みの補正において有用である。
【００７３】
また、本実施例１に係る測定装置１０は、測定プログラム１７Ａを実行するコントローラ１８を備えることで、測定装置１０においても、放射線（各実施例ではβ＋線）の情報（各実施例では血中放射能濃度）を正確に算出することができる。
【実施例２】
【００７４】
次に、図面を参照してこの発明の実施例２を説明する。
図１０は、実施例２に係る表示装置のブロック図である。上述した実施例１と共通する構成については同じ符号を付して、その説明を省略するとともに、図示を省略する。また、本実施例２に係る測定装置については、実施例１でも述べた図１〜図２と同じ構成であり、本実施例２に係る円板や固定治具についても、実施例１でも述べた図３、図５と同じ構成であるので、その説明および図示を省略する。
【００７５】
実施例１と相違する点は、実施例１では参照元が容器（円板２４）の設計情報Ｄ（円板２４のＵ字流路２６の外側の輪郭）であったのに対して、本実施例２では参照元が参照画像である点である。つまり、本実施例２では、輪郭強調画像（流路領域や成分領域）、および予め取得された参照画像に基づいて、画像の歪みに関する歪み補正物理量（歪み補正パラメータ）を算出する。そのために、実施例１での図４の設計情報メモリ部１７Ｃの代わりに、本実施例２では、図１０に示すように、予め取得された参照画像を記憶する参照画像メモリ部１７Ｄをメモリ部１７は備えている。その他の図１０の構成については、実施例１の図４の構成と同じであるので、その説明を省略する。
【００７６】
本実施例２でも、コントローラ１８は、輪郭強調工程，歪み算出工程，画像歪み補正工程および情報算出工程を実行する。ただし、本実施例２での歪み算出工程（図６のステップＳ５）では、参照元が参照画像となるので、その部分について詳しく述べる。
【００７７】
参照画像については特に限定されないが、図６のフローチャートのように画像歪みの補正の対象がスキャナ画像であれば、スキャナ画像を取得したのと同じフラットヘッドスキャナで対象物上を走査（スキャン）することで当該対象物を撮像して、参照画像を取得する。この場合、縦横のマス目が入った方眼紙を対象物として、方眼紙をフラットヘッドスキャナで事前にスキャンすることで、縦横のマス目の入った方眼紙の参照画像を取得して、当該マス目からのズレ量あるいはズレ角度を算出することができる。
【００７８】
もし、フラットヘッドスキャナで円板２４のスキャナ画像に歪みが生じているのであれば、同じフラットヘッドスキャナで事前に取得された方眼紙の参照画像においても歪みが生じており、歪みが生じた参照画像中のマス目も、元来の縦横方向から特定のズレ量あるいは特定のズレ角度が生じている。そこで、マス目毎にズレ量あるいはズレ角度をそれぞれ算出することで、これらのズレ量あるいはズレ角度を補正物理量（歪み補正パラメータ）としてコントローラ１８は算出する。
【００７９】
次に、一連の処理について、図６を参照して説明する。ただし、図６のステップＳ１〜Ｓ４，Ｓ１１およびＳ６と、ステップＴ１およびＴ２と、ステップＵ１およびＵ２とは、実施例１の各々のステップと同じであるので、その説明を省略する。ステップＳ５での画像歪み補正のみについて説明する。
【００８０】
（ステップＳ５）画像歪み補正
先ず、ステップＳ１１で輪郭が強調されて抽出結果メモリ部１７Ｂ（図１０を参照）に記憶された輪郭強調画像（流路領域や成分領域）、および参照画像メモリ部１７Ｄ（図１０を参照）に基づいて、画像の歪みに関する歪み補正物理量（歪み補正パラメータ）をコントローラ１８（図１０を参照）は算出する。
【００８１】
そのために、参照画像（ここではフラットヘッドスキャナで事前に取得された方眼紙の参照画像）と、スキャナ画像から抽出された流路領域とを比較して、スキャナ画像が歪んでいるか否かを判定する。上述したように、参照画像において歪みが生じていれば、スキャナ画像も歪んでいると判断する。
【００８２】
このように、参照画像中のマス目に基づいて、元来の縦横方向からの特定ズレ量あるいはズレ角度をコントローラ１８（図１０）はそれぞれ算出する。本実施例２では、これらのズレ量あるいはズレ角度を歪み補正パラメータとして求める。
【００８３】
画像が斜め方向に歪んでいるときには、ズレ角度を用いて逆方向に回転させることによって画像の歪みを補正する。画像が縦横のいずれかにずれて歪んでいるときには、ズレ量を用いて逆方向に移動させることによって画像の歪みを補正する。なお、ズレ量およびズレ角度の双方を用いて補正してもよい。
【００８４】
また、縦横のマス目が歪みによって縦あるいは横方向に縮んでいる、あるいは伸びている場合には、実施例１と同様に比率を歪み補正パラメータとして求めてもよい。この場合には、マス目毎に比率をそれぞれ算出する方が、より正確に歪みを補正する点においても好ましい。このステップＳ５は、この発明における歪み算出工程および画像歪み補正工程に相当する。
【００８５】
本実施例２に係る測定プログラム１７Ａによれば、実施例１と同様に、ステップＳ１１では、容器（各実施例では円板２４）の流路（各実施例ではＵ字流路２６）に関する画像（図６のフローチャートではスキャナ画像）の輪郭を強調して輪郭強調画像（流路領域や成分領域）を出力する。そのステップＳ１１で輪郭が強調された輪郭強調画像（流路領域や成分領域）、および予め取得された参照画像（例えば方眼紙の参照画像）に基づいて、ステップＳ５では、画像の歪みに関する歪み補正物理量（本実施例２ではズレ量あるいはズレ角度）を算出する。このように、輪郭強調画像および既知の参照画像（方眼紙の参照画像）を参照すれば、参照画像（方眼紙の参照画像）の元となる対象物（方眼紙）に対する画像の歪みの度合いがわかり、歪み補正物理量（ズレ量あるいはズレ角度）を算出することが可能になる。したがって、ステップＳ５で算出された歪み補正物理量（ズレ量あるいはズレ角度）に基づいて、同じステップＳ５では画像の歪みを補正することが可能になり、そのステップＳ５で歪みが補正された画像に基づいて、ステップＵ１では、放射線（各実施例ではβ＋線）の情報（各実施例では血中放射能濃度）を正確に算出することができる。
【００８６】
また、本実施例２の場合には、個々の参照画像（方眼紙の参照画像）に応じて画像の歪みをそれぞれ補正するので、個々の参照画像（方眼紙の参照画像）の歪み具合に応じて画像の歪みをより一層正確に補正することができる効果が得られる。
【００８７】
本実施例２では、上述した実施例１と同様に、流路に関する画像（図６のフローチャートではスキャナ画像）の全体に対して歪みを補正している。全体に対して歪みを補正することで、一連の処理が簡素化されるという効果を奏する。
【００８８】
本実施例２では、上述した実施例１と同様に、流路に関する画像は、測定対象の液体（各実施例では血液）の形態情報を有した形態情報画像（図６のフローチャートではスキャナ画像）である。特に、スキャナ画像に代表される形態情報画像の場合には歪みが生じ易いことが判明しており、画像の歪みの対象として形態情報画像を適用することで、歪みの補正において有用である。
【００８９】
また、本実施例２に係る測定装置１０は、上述した実施例１と同様に、測定プログラム１７Ａを実行するコントローラ１８を備えることで、測定装置１０においても、放射線（各実施例ではβ＋線）の情報（各実施例では血中放射能濃度）を正確に算出することができる。
【００９０】
この発明は、上記実施形態に限られることはなく、下記のように変形実施することができる。
【００９１】
（１）上述した各実施例では、測定対象の液体として血液を例に採って説明したが、測定対象の液体であれば、血液に限定されずに、放射性物質や発光物質や蛍光剤が含まれた液体や、分析装置に用いられる混合液などであってもよい。また、測定対象の液体は、遠心分離の対象となる液体でなくともよい。
【００９２】
（２）上述した各実施例では、測定情報画像は、イメージングプレートから取得された放射線（各実施例ではβ＋線）の測定情報を有したＩＰ画像であったが、測定対象の液体中に含まれている発光あるいは蛍光物質から発生した光あるいは測定対象の液体中に含まれている放射線の測定情報を有した測定情報画像であれば、例えば光（フォトン：光子）や放射線を直接的に計数することで取得された測定情報画像などのように、必ずしもＩＰ画像に限定されない。
【００９３】
（３）上述した各実施例では、形態情報画像は、撮像部１４のフラットヘッドスキャナから取得されたスキャナ画像であったが、測定対象の液体の形態情報を有した形態情報画像であれば、例えば放射線照射手段および放射線検出手段で構成される放射線撮像手段で取得された形態情報画像などのように、必ずしもスキャナ画像に限定されない。その他に、ディジタルカメラ等で撮像された容器（例えば円板）の画像に対して輪郭を強調して輪郭強調画像を出力して、容器（例えば円板）の設計情報に合わせて当該輪郭強調画像を拡大あるいは縮小して形態情報画像として用いてもよい。
【００９４】
（４）上述した各実施例では、容器は遠心分離を行う円板であったが、測定対象の液体が、遠心分離の対象となる液体でない場合には、液体を収容する容器であれば、円板に限定されない。方形の板や多角形の板などであってもよい。
【００９５】
（５）上述した各実施例では、円板２４の径方向に沿って溝加工を放射状に施すことで、径方向に形成されたＵ字流路２６を複数に設けたが、必ずしも放射状に配設する必要はない。例えば、互いに平行に配設してもよい。
【００９６】
（６）上述した各実施例では、画像歪みの補正の対象が、スキャナ画像に代表される形態情報画像であったが、流路に関する画像でさえあれば、光あるいは放射線（各実施例ではβ＋線）の測定情報を有した測定情報画像（例えばＩＰ画像）であってもよい。測定情報画像の場合には光あるいは放射線の分布像が得られるが流路が抽出され難く、当該分布像から輪郭強調画像を出力することで流路が抽出され易くなり、画像の歪みの対象として測定情報画像を適用することで、歪み補正物理量の算出において有用である。
【００９７】
（７）上述した各実施例では、流路に関する画像（各実施例ではスキャナ画像）の全体に対して歪みを補正したが、必ずしも画像の全体に限定されない。必要なのはアルゴリズムによって抽出された流路領域あるいは流路長であるので、流路領域あるいは流路長に対して歪みを補正してもよい。流路領域に対して歪みを補正することで、流路領域の歪みをより一層正確に補正することができるという効果を奏する。流路長に対して歪みを補正することで、流路長の歪みをより一層正確に補正することができるという効果を奏する。
【００９８】
（８）上述した各実施例では、図６のフローチャートに示すように、流路に関する画像（各実施例ではスキャナ画像）に対して歪みを毎回判定して画像の歪みを補正したが、必ずしも歪みを毎回判定する必要はない。一度、歪み判定で得られた同じ歪み補正パラメータを用いて、画像の歪みを補正してもよい。
【００９９】
（９）上述した実施例１では、画像に対して縦横方向に歪みを補正したが、方向は縦横に限定されない。斜め方向に対して歪みを補正してもよいし、ある特定の角度に対して歪みを補正してもよいし、それらの方向を一部あるいは全て組み合わせて補正してもよい。また、実施例２のように特定のマス目毎に実施例１においても補正してもよい。
【０１００】
（１０）上述した実施例１では、容器の設計情報は、円板２４のＵ字流路２６の外側の輪郭であったが、設計情報はこれに限定されない。Ｕ字流路２６の内側や、円板の外周円であってもよい。
【０１０１】
（１１）上述した実施例２では、参照画像は、縦横のマス目が入った方眼紙を対象物として撮像して得られた画像であったが、容器の形状に合わせて描いた用紙を対象物として撮像して得られた画像であってもよいし、容器（各実施例では円板）上に歪み補正に設けられたマーカを容器ごと撮像して得られた画像であってもよい。
【０１０２】
（１２）上述した各実施例では、容器（実施例では円板２４）を固定して位置決めを行いつつ支持する固定治具３１を備えたが、必ずしも固定治具３１を備える必要はない。例えば、図３に示すように窪みを円板２４自体に設ける、あるいは切り欠きや突起部を円板２４自体に設けることで、その窪みや切り欠きや突起部などを基準として重畳の対象となる画像の向きを揃えてもよい。また、円板２４の所定の箇所に光や放射線の透過性の異なる部材をマーカとして貼り付けて、撮像された画像でマーカ部分を基準として向きを揃えて重畳処理を行ってもよい。
【０１０３】
（１３）上述した各実施例では、画像の歪みを自動で補正したが、入力部１９への入力操作により画像の歪みを手動で補正するようなプログラミングで測定プログラム１７Ａをコントローラ１８が実行してもよい。
【符号の説明】
【０１０４】
１０  …  測定装置
１７Ａ  …  測定プログラム
１８  …  コントローラ
２４  …  円板
２６  …  Ｕ字流路
ＳＣ  …  スキャナ画像
Ｄ  …  設計情報
【図１】
2013228305.tif 000003
【図２】
2013228305.tif 000004
【図３】
2013228305.tif 000005
【図４】
2013228305.tif 000006
【図５】
2013228305.tif 000007
【図６】
2013228305.tif 000008
【図７】
2013228305.tif 000009
【図８】
2013228305.tif 000010
【図９】
2013228305.tif 000011
【図１０】
2013228305.tif 000012